(57)【要約】【課題】ウインチからのワイヤロープ２４をクレーンのブーム先端部シーブ群２３ａとフックブロックシーブ群７とに掛回してフックブロック１０をブーム先端部に昇降させる際に、掛回されたワイヤロープの速度差によりフックブロックが傾斜するのを防止する。【解決手段】フックブロックは、中心に配置したフックの左右にそれぞれ右側シーブ群６ａと左側シーブ群６ｂとに分けて配置し、クレーンブームの先端部から離間したブーム上面に回転自在な水平シーブ２６，２８を２枚備え、ウインチから引出されたワイヤロープは、ブーム先端シーブ群の中央部のシーブに掛回しての左または右側シーブ群に掛回した後前記水平シーブの一方に掛回されて折返し、ブーム先端シーブ群と右または左側シーブ群に掛回された後前記水平シーブの他方に掛回されて折返し、再びブーム先端シーブ群との左または右側シーブ群に掛回すようにした。【選択図】      図１
2007062943.tif 000002
【特許請求の範囲】
【請求項１】
クレーンブーム先端部の両側板間に配置した水平軸に複数のシーブを並べて回動自在に配置したブーム先端シーブ群と、中心に配置したフックの左右にそれぞれ複数のシーブを回動自在に備えたフックブロックのフックブロックシーブ群と、ブームの基端側にワイヤロープを巻回したウインチとを備え、ウインチから引出されたワイヤロープをブーム先端シーブ群とフックブロックシーブ群に掛回し一端をブーム先端部またはフックブロックに止着してブーム先端部にフックブロックを吊下させたクレーンの吊上げ装置であって、
前記フックブロックは、左右の側板間にトラニオンを配置しトラニオンの中央部に回転自在にフックを支承し左右の側板間とフック間のトラニオンの両側部に回動自在に複数のシーブからなるフックブロックシーブ群を前記右側シーブ群と左側シーブ群とに分けて配置し、クレーンブームの先端部から離間したブーム上面に回転自在な水平シーブを２枚備え、ウインチから引出されたワイヤロープは、ブーム先端シーブ群の中央部のシーブに掛回してフックブロックの左または右側シーブ群に掛回した後ブーム先端シーブ群のシーブを経由して前記水平シーブの一方に掛回されて折返し、ブーム先端シーブ群とフックブロックの右または左側シーブ群に掛回された後前記水平シーブの他方に掛回されて折返し、再びブーム先端シーブ群とフックブロックの左または右側シーブ群に掛回すように構成したことを特徴とするクレーンの吊上げ装置。
【請求項２】
前記水平シーブはブーム上面に直交配置した共通軸に上下に重ね合せて配置したことを特徴とする請求項１記載のクレーンの吊上げ装置。
【請求項３】
クレーンブーム先端部の両側板間に配置した水平軸に複数のシーブを並べて回動自在に配置したブーム先端シーブ群と、中心に配置したフックの左右にそれぞれ複数のシーブを回動自在に備えたフックブロックのフックブロックシーブ群と、ブームの基端側にワイヤロープを巻回したウインチとを備え、ウインチから引出されたワイヤロープをブーム先端シーブ群とフックブロックシーブ群に掛回し一端をブーム先端部またはフックブロックに止着してブーム先端部にフックブロックを吊下させたクレーンの吊上げ装置であって、
前記フックブロックは、左右の側板間にトラニオンを配置しトラニオンの中央部に回転自在にフックを支承し左右の側板間とフック間のトラニオンの両側部に回動自在に複数のシーブからなるフックブロックシーブ群を前記右側シーブ群と左側シーブ群とに分けて配置するとともに、前記側板上部のシーブ面側にローラを配置し、ブーム先端シーブ群からのワイヤロープを前記フックブロックの右側シーブ群と左側シーブ群とに分けて掛回し、ブーム先端部にフックブロックを昇降させる際にフックブロックが左右に傾斜するのを前記ワイヤロープとローラが接触することによりフックブロックの傾斜を規制するようにしたことを特徴とするクレーンの吊上げ装置。
【発明の詳細な説明】
【技術分野】
【０００１】
本発明は、クレーンの吊上げ装置に関するものである。
【背景技術】
【０００２】
この種のクレーンの吊上げ装置として、荷を吊下げるために次のようなフック装置が用いられる。このフック装置は、トラニオンの中央部にフックがスラスト軸受けを介して鉛直軸回りに回動自在に、且つフック抜止によって下方へ抜落ちないように支承されている。トラニオンの左右両側には、それぞれラジアル軸受けを介して、シーブがトラニオンの軸線を中心として回動自在に取付けられている。左右のシーブには、クレーンのブーム先端のシーブからワイヤロープが掛回されており、このワイヤロープによってフック装置がクレーンブーム先端から吊下げられている。（例えば特許文献１参照）
このようなフック装置は、左右のシーブ間にフックを配置してあるものだから、上方にシーブ下方にフックを配置したフック装置と比較して、全体の高さを低くしブーム先端にフック装置を近接させた時に、地上からフック装置までの高さを可及的に高くできるようにしている。
【特許文献１】特開平９−１５６８６５号公報（第２頁、図１、図４、図５、図８）
【発明の開示】
【発明が解決しようとする課題】
【０００３】
ところが大荷重を吊下げるためにはフック装置のシーブとクレーンのブーム先端のシーブ数を増やし、両シーブ間にワイヤロープを多数本掛回す必要がある。すなわち、大荷重を吊下げるクレーンの吊上げ装置は、図４及び図５に図示するように構成している。図４に図示するように、フック装置１０は、左右の側板２間にトラニオン３を配置しており、トラニオン３の中央部にスラストベアリング４を介して鉛直軸方向に回転自在にフック１を支承し、左右の側板間２とフック１間のトラニオン３の両側部にトラニオン３の軸線を中心としてラジアルベアリング５を介して回動自在に複数のシーブ６からなる右側シーブ群６ａと左側シーブ群６ｂとを備えている。両側板２の下部外側面には錘８を夫々取付けており、フック装置１０がトラニオン３のシーブ６軸を中心に回転するのを防止するために配置している。なお、以下の説明ではフック装置をフックブロック１０として説明する。そして、右側シーブ群６ａと左側シーブ群６ｂでフックブロックシーブ群７を構成している。
クレーンのブーム先端部２０には、ブーム先端部の両側板間２１に水平軸２２を配置し、この水平軸２２に回動自在に複数のシーブ２３を並べて配置したブーム先端シーブ群２３ａを備えている。クレーンのブームの基端側には、ワイヤロープ２４を巻回したウインチ（図示しない）を備えている。ブームの先端部から離間したブーム上面に直交する軸２５を配置し、この軸２５に水平シーブ２６を回転自在に配置している。
そして図５に図示するように、ウインチから引出されたワイヤロープ２４は、ブーム先端シーブ群２３ａの中央部のシーブ２３に掛回してフックブロック１０の右側シーブ群６ａとブーム先端シーブ群２３ａに掛回された後、ブーム先端シーブ群２３ａのシーブ２３を経由して前記水平シーブ２６に掛回されて折返され、ブーム先端シーブ群２３ａとフックブロック１０の左側シーブ群６ｂに掛回された後、ワイヤロープ２４の一端をブーム先端部２０に止着２５される。なお、図５は、ブーム先端部２０とフック装置１０間のワイヤロープ２４の掛回し方を説明する説明図で、図示するフック装置１０は、フック１を省略して図示している。
このように構成されたクレーンの吊上装置は、ウインチでワイヤロープ２４を繰入れ、繰出して、フックブロック１０をブーム先端部２０に昇降させるのであるが、ワイヤロープ２４の速度は、ウインチに繰出し入りするブーム先端シーブ群２３ａの中央部のシーブ２３に掛回されるワイヤロープ２４が最も速く、一端をブーム先端部２０に止着２５されたワイヤロープ２４部分は移動しないので、ブーム先端シーブ群２３ａとフックブロックシーブ群７に掛回されワイヤロープ２４の速度は、止着２５に近づくにつれて遅くなる。よってブーム先端シーブ群２３ａとフックブロックの右側シーブ群６ａに掛回されるワイヤロープ２４は、ブーム先端シーブ群２３ａとフックブロック１０の左側シーブ群６ｂに掛回されるワイヤロープ２４に比較して速度が速くなるために、フックブロック１０は全体に右側が持ち上がり傾斜してしまう。そしてフックブロック１０の傾斜により、フックブロック１０の側板２の上部とワイヤロープ２４が当接して両者が磨耗する問題が生じる。この問題を解決するに当たって以下の課題も対応する必要がある。
すなわち、ウインチから引出されたワイヤロープ２４はフリートアングルの関係からブーム先端部シーブ群２３ａの内中央部のシーブ２３に掛回す必要があること、フックブロック１０の高さを低くするためにフック１を中心に両側に各シーブ６を配置しなければならないこと、ワイヤロープ２４をブーム先端部シーブ群２３ａとフックブロック１０の右側シーブ群６ａあるいは左側シーブ群６ｂに掛回すに当たって、両シーブ群間にフック１があり両シーブ群の間隔が離れているので両シーブ群を跨いでワイヤロープ２４を掛回すにはフリートアングルを取る必要がある。
【０００４】
本発明は、上記課題を解決ししかもウインチによりワイヤロープ２４を繰出し入れしても、フックブロック１０が傾斜しないようにするクレーンの吊上げ装置あるいは傾斜してもフックブロック１０の側板２の上部とワイヤロープ２４が当接して両者が磨耗しないクレーンの吊上げ装置を提供することを目的とする。
【課題を解決するための手段】
【０００５】
上記の目的を達成するため、本発明における請求項１記載のクレーンの吊上げ装置は、クレーンブーム先端部の両側板間に配置した水平軸に複数のシーブを並べて回動自在に配置したブーム先端シーブ群と、中心に配置したフックの左右にそれぞれ複数のシーブを回動自在に備えたフックブロックのフックブロックシーブ群と、ブームの基端側にワイヤロープを巻回したウインチとを備え、ウインチから引出されたワイヤロープをブーム先端シーブ群とフックブロックシーブ群に掛回し一端をブーム先端部またはフックブロックに止着してブーム先端部にフックブロックを吊下させたクレーンの吊上げ装置であって、
前記フックブロックは、左右の側板間にトラニオンを配置しトラニオンの中央部に回転自在にフックを支承し左右の側板間とフック間のトラニオンの両側部に回動自在に複数のシーブからなるフックブロックシーブ群を前記右側シーブ群と左側シーブ群とに分けて配置し、クレーンブームの先端部から離間したブーム上面に回転自在な水平シーブを２枚備え、ウインチから引出されたワイヤロープは、ブーム先端シーブ群の中央部のシーブに掛回してフックブロックの左または右側シーブ群に掛回した後ブーム先端シーブ群のシーブを経由して前記水平シーブの一方に掛回されて折返し、ブーム先端シーブ群とフックブロックの右または左側シーブ群に掛回された後前記水平シーブの他方に掛回されて折返し、再びブーム先端シーブ群とフックブロックの左または右側シーブ群に掛回すように構成したことを特徴とするものである。
【０００６】
請求項２記載のクレーンの吊上げ装置は、請求項１において、前記水平シーブはブーム上面に直交配置した共通軸に上下に重ね合せて配置したことを特徴とするものである。
【０００７】
請求項３記載のクレーンの吊上げ装置は、クレーンブーム先端部の両側板間に配置した水平軸に複数のシーブを並べて回動自在に配置したブーム先端シーブ群と、中心に配置したフックの左右にそれぞれ複数のシーブを回動自在に備えたフックブロックのフックブロックシーブ群と、ブームの基端側にワイヤロープを巻回したウインチとを備え、ウインチから引出されたワイヤロープをブーム先端シーブ群とフックブロックシーブ群に掛回し一端をブーム先端部またはフックブロックに止着してブーム先端部にフックブロックを吊下させたクレーンの吊上げ装置であって、前記フックブロックは、左右の側板間にトラニオンを配置しトラニオンの中央部に回転自在にフックを支承し左右の側板間とフック間のトラニオンの両側部に回動自在に複数のシーブからなるフックブロックシーブ群を前記右側シーブ群と左側シーブ群とに分けて配置するとともに、前記側板上部のシーブ面側にローラを配置し、ブーム先端シーブ群からのワイヤロープを前記フックブロックの右側シーブ群と左側シーブ群とに分けて掛回し、ブーム先端部にフックブロックを昇降させる際にフックブロックが左右に傾斜するのを前記ワイヤロープとローラが接触することによりフックブロックの傾斜を規制するようにしたことを特徴とするものである。
【発明の効果】
【０００８】
請求項１に係る本発明のクレーンの吊上げ装置は、ウインチから引出されたワイヤロープは、ブーム先端シーブ群の中央部のシーブに掛回してフックブロックの左または右側シーブ群に掛回した後ブーム先端シーブ群のシーブを経由して前記水平シーブの一方に掛回されて折返し、ブーム先端シーブ群とフックブロックの右または左側シーブ群に掛回された後前記水平シーブの他方に掛回されて折返し、再びブーム先端シーブ群とフックブロックの左または右側シーブ群に掛回すように構成したものである。すなわち、フックを中心に左右にシーブ群を分けて配置したフックブロックへのワイヤロープの掛回しを、上記のようにして速度が遅いシーブ群側に一旦ウインチから引出された速度の速いワイヤロープを掛回すようにして左右の速度バランスを取るようにしたものであるから、フックブロックが傾斜するのを防止できる。
【０００９】
請求項２に係る本発明のクレーンの吊上げ装置は、前記水平シーブはブーム上面に直交配置した共通軸に上下に重ね合せて配置したものであるから、ブーム上面に直交する軸を複数配置しなくてもよく、それぞれの水平シーブに掛回されたワイヤロープが高さ方向にずらすことができ干渉しないように配置することができる。
【００１０】
請求項３に係る本発明のクレーンの吊上げ装置は、フックブロックの側板上部のシーブ面側にローラを配置し、ブーム先端部からフックブロックを昇降させる際にフックブロックが左右に傾斜するのを前記ワイヤロープとローラが接触することによりフックブロックの傾斜を規制するようにしたものであるから、フックブロックが傾斜するのを可及的に阻止できる。また、フックブロックの側板上部とワイヤロープ当接して両者が磨耗するのを防止できる。
【発明を実施するための最良の形態】
【００１１】
以下本発明に係るクレーンの吊上げ装置の実施形態について、図１〜図３に図示し以下に説明する。図１に図示する本発明に係るクレーンの吊上げ装置は、従来の技術で図４および図５に図示し説明したものと、水平シーブ２８が追加して配置されている点と、ワイヤロープ２４の掛回し方が異なる点でのみ相違しており、他は同じであるので図４および図５に図示したものと同符合を同じものとして用い、詳細な説明は省略する。
図１において、本発明に係るクレーンの吊上げ装置は、前記水平シーブ２６の他に、クレーンブーム上面に直交する軸２７を配置しこの軸２７に水平シーブ２８を回転自在に配置している。そしてウインチから引出されたワイヤロープ２４は、ブーム先端シーブ群２３ａの中央部のシーブ２３に掛回してフックブロック１０の左側シーブ群６ｂのフック１寄りのシーブ６に掛回された後、ブーム先端シーブ群２３ａの前記中央部のシーブ２３に近接するシーブ２３を経由して前記水平シーブ２７に掛回して折返し、ブーム先端シーブ群２３ａとフックブロック１０の右側シーブ群６ａに掛回された後、前記水平シーブ２６に掛回されて折返し、再びブーム先端シーブ群２３ａのシーブ２３とフックブロック１０の左側シーブ群６ｂのシーブ６に掛回され、一端をブーム先端部２０に止着２５されている。
【００１２】
このように構成した本発明に係るクレーンの吊上げ装置は、フック１を中心に左右にシーブ群を別れて配置したフックブロック１０へのワイヤロープ２４の掛回しを、上記のようにして速度が遅いシーブ群（左側シーブ群６ｂ）側に一旦ウインチから引出された速度の速いワイヤロープ２４を掛回すようにして左右の速度バランスを取るようにしたものであるから、フックブロック１０が傾斜するのを防止できるのである。
【００１３】
なお、上記実施形態のワイヤロープ２４の掛けまわしを左右逆に掛回すようにしてもよい。すなわち、ウインチから引出されたワイヤロープ２４は、ブーム先端シーブ群２３ａの中央部のシーブ２３に掛回してフックブロック１０の右側シーブ群６ａの内フック１寄りのシーブ６に掛回した後、ブーム先端シーブ群２３ａの前記中央部のシーブ２３に近接するシーブ２３を経由して前記水平シーブ２７に掛回して折返し、ブーム先端シーブ群２３ａとフックブロック１０の左側シーブ群６ｂに掛回された後、前記水平シーブ２６に掛回されて折返し、再びブーム先端シーブ群２３ａのシーブ２３とフックブロック１０の右側シーブ群６ａのシーブ６に掛回され、一端をブーム先端部２０に止着２５させるようにしてもよい。
【００１４】
また、上記実施形態では、フックブロック３０の右側シーブ群６ａと左側シーブ群６ｂにそれぞれシーブ６を３枚使用した場合で説明したが、それぞれのシーブ群にシーブ６を２枚以上のを使用するようにすれば本発明を適用できる。その時にフックブロック３０の使用シーブ６の数により適宜ブーム先端部２０のシーブ２３の配置枚数を適宜変更すればよい。
【００１５】
更に、上記実施形態では、水平シーブ２６と水平シーブ２８を別々の軸２５、軸２７に回転自在に配置したが、ブーム上面に直交配置した共通軸に上下に重ね合せて配置するようにしてもよい。そのように配置することで、ブーム上面に直交する軸を複数配置しなくてもよく、それぞれの水平シーブに掛回されたワイヤロープが高さ方向にずらすことができ干渉しないように配置することができる。
【００１６】
次に、上記実施形態ではフックブロック１０を傾斜しないようにしたクレーンの吊上げ装置について説明したが、フックブロック１０が傾斜してフックブロック１０の側板２の上部とワイヤロープ２４が当接しても両者が磨耗しない本発明に係るクレーンの吊上げ装置について図２および図３に図示し以下に説明する。
【００１７】
図２および図３に図示するフックブロック３０は、図４に図示し説明したフックブロック１０と両側板２の上部シーブ面側にローラ３１を配置し、ブーム先端部２０からフックブロック３０を昇降させる際にフックブロック３０が左右に傾斜するのを前記ワイヤロープ２４とローラ３１が接触することによりフックブロック３０の傾斜を規制するとともに、ローラ３１とワイヤロープ２４が当接して両者が磨耗しないようにしたものである。よってフッククブロック３０が傾斜するのを可及的に阻止できるとともに、フックブロック３０の側板２の上部とワイヤロープ２４を直接当接させずに、ローラ３１とワイヤロープ２４を当接させワイヤロープ２４が磨耗するのを防止できるものである。なおこの実施形態の場合は、前記ローラ３１でフックブロック３０の傾斜を規制するものでワイヤロープ２４の掛回しについては制約を受けるものでない。したがって、従来の技術で説明した図５のように掛回した場合にも適用可能である。
【００１８】
また、上記実施形態では、フッククブロック３０の両側板２の上部シーブ面側にローラ３１を配置したが、傾斜するフッククブロック３０は一方向に傾斜するものであるから、傾斜してワイヤロープ２４と当接する側板２（片側の側板２）にのみローラ３１を配置するようにしてもよい。
【図面の簡単な説明】
【００１９】
【図１】本発明に係るクレーンの吊上げ装置を説明する説明図で、ブーム先端側シーブ群とフックブロックの右側シーブ群と左側シーブ群間に掛回されるしたワイヤロープの掛回し方を説明する説明図である。
【図２】本発明に係るクレーンの吊上げ装置を説明する説明図で、フックブロックにローラを配置した場合を説明する説明図である。
【図３】図２のＡ矢視図である。
【図４】フックブロックを説明する説明図である。
【図５】従来のクレーンの吊上げ装置を説明する説明図で、ブーム先端側シーブ群とフックブロックの右側シーブ群と左側シーブ群間に掛回されるワイヤロープの掛回し方を説明する説明図である。
【符号の説明】
【００２０】
２  側板
３  トラニオン
６  シーブ
６ａ  右側シーブ群
６ｂ  左側シーブ群
７  フックブロックシーブ群
１０  フックブロック
２０ ブーム先端部
２２  水平軸
２３  シーブ
２３ａ ブーム先端シーブ群
２４  ワイヤロープ
２５  止着
２５  軸
２６  水平シーブ
２７  軸
２８  水平シーブ
３０  フックブロック
３１  ローラ
【図１】
2007062943.tif 000003
【図２】
2007062943.tif 000004
【図３】
2007062943.tif 000005
【図４】
2007062943.tif 000006
【図５】
2007062943.tif 000007